【事件の表示】
　特願２００１−２５３１７９「携帯端末、サーバシステム、情報取得方法、及び情報配信方法」拒絶査定不服審判事件〔平成１５年　３月　７日出願公開、特開２００３−　６７３３４〕について、次のとおり審決する。
【結　論】
　本件審判の請求は、成り立たない。
【理　由】
１．手続の経緯 
　本願は、平成１３年８月２３日の出願であって、平成２３年２月９日付けで拒絶理由の通知がなされ、同年４月１８日付けで手続補正書の提出がなされ、同年１２月１日付けで拒絶理由の通知がなされ、平成２４年２月２日付けで手続補正書の提出がなされ、同年８月２日付けで拒絶査定がなされ、これに対して同年１１月６日付けで拒絶査定不服審判の請求がなされたものである。
　
　
　　　　　
２．本願発明 
　本願の請求項１に係る発明は、平成２４年２月２日付け手続補正書によって補正された特許請求の範囲の請求項１に記載された事項により特定される、以下のとおりのものである（以下「本願発明」という）。
　　　　  
「記憶されている所定の画面を選択操作に応じて表示部上に表示させる携帯端末であって、
　前記所定の画面を示すデータを記憶するとともに、前記所定の画面に対応する関連情報を特定するための特定情報と、前記携帯端末の機種情報とを、前記所定の画面を示すデータに関連付けて記憶する記憶部と、
　データが前記記憶部に記憶されている前記所定の画面に対応する前記関連情報の取得要求があった場合に、前記記憶部から前記特定情報と前記機種情報とを取得し、該当する特定情報と機種情報とをネットワークに送信する指示を行うとともに、前記ネットワークを介して受信した関連情報を前記表示部上に表示させる制御部と、
を備えることを特徴とする携帯端末。」
　　　　
　
　　　　 　　　
３．引用文献 
（１）引用文献１について
　原査定の拒絶の理由に引用された特開平７−３２７２６５号公報（以下、「引用文献１」という）には、下記の事項が記載されている。
　
　　
Ａ．「【０００１】
【産業上の利用分野】本発明は、操作手順を音声情報や文字などの画像情報として表示するオンラインヘルプ機能を有する情報機器に関するものである。」
　
Ｂ．「【００１７】
【実施例】以下本発明の一実施例について説明を行う。
【００１８】図１は本発明の第１の実施例における情報機器の構成図である。図１において、１１は無線端末機、１２は公衆網、１３は公衆網１２に局線１７を介して接続された無線基地局、１４は公衆網１２に接続されており、複数の無線端末機１１の操作情報、機能情報が記憶されたデータベースセンター設備である。
【００１９】また、無線端末機１１は、アンテナ２６を介して無線基地局１３と無線信号の送受信を行う端末無線インターフェイス部２２と、認証コードを蓄積した第１の認証コード記憶部２４と、接続制御要求やヘルプ機能要求のための入力部２５と、端末無線インターフェイス部２２を制御して無線基地局１３との通信制御を行う端末制御部２３により構成されている。
【００２０】また、無線基地局１３は、アンテナ１５を介して無線端末機１１と無線信号の送受信を行う基地局無線インターフェイス部１６と、局線１７、公衆網１２を介してデータベースセンター設備１４との間で通信を行う有線インターフェイス部１８と、通信中の無線端末機１１のＰＳ−ＩＤや無線端末機１１の操作情報などを記憶するデータメモリー部２０と、無線基地局１３の全体制御を行う基地局制御部２１から構成される。
【００２１】以上のように構成された情報機器について図２の動作フローチャートを用いて以下その動作の説明を行う。
【００２２】無線基地局１３と無線端末機１１との接続動作時の認証コードの送受信について説明する。
【００２３】なお、データベースセンター設備１４のの無線端末機１１に関する情報は対応していない無線端末が有れば予めデータベースセンター設備１４の記憶内容に追加できるものとし、また、この情報は公衆網１２局線１７を介して無線基地局１３内のデータメモリー部２０へダウンロードされるものとする（１０１）。
【００２４】まず、入力部２５からヘルプ機能要求の入力があると、端末制御部２３は、第１の認証コード記憶部２４からＰＳ−ＩＤを読み出し、ヘルプ機能要求信号と共にＰＳ−ＩＤデータを無線基地局１３へ送出するように端末無線インターフェイス部２２の制御を行う（１０２）。
【００２５】その後、基地局無線インターフェイス部１６にヘルプ要求信号及びＰＳ−ＩＤデータが受信されると、基地局制御部２１は、データメモリー部２０に受信したＰＳ−ＩＤデータを記憶すると共に、このＰＳ−ＩＤコードを解析し、要求のあった無線端末機１１の機種の判定を行う。この判定に基づき対応する機種の操作情報をデータメモリー部２０から読み出す制御を行う（１０３）。このとき、機能情報もデータメモリー部２０より読み出す。また、該当する機種の操作情報がデータメモリー部２０に蓄積されていなかった場合（１０４）、基地局無線インターフェイス部１６を介して、未登録である旨の情報を無線端末機１１へ送出する（１０６）。
【００２６】データメモリー部２０に操作情報が記憶されていた場合（１０４）、その操作情報の送出メディアを決定し（１０５）、基地局無線インターフェイス部１６、アンテナ１５を介して無線端末機１１へ送出する（１０７）。」
　　
Ｃ．図１には、無線端末機１１が、端末無線インターフェイス部２２、端末制御部２３、第１の認証コード記憶部２４、入力部２５、アンテナ２６を備えていることが記載されている。
　
　ここで、上記引用文献１の記載事項について検討する。
　
（あ）上記Ｂ．には、「入力部２５からヘルプ機能要求の入力があると、端末制御部２３は、第１の認証コード記憶部２４からＰＳ−ＩＤを読み出し、ヘルプ機能要求信号と共にＰＳ−ＩＤデータを無線基地局１３へ送出するように端末無線インターフェイス部２２の制御を行う」ことが記載され、上記Ｃ．には、無線端末機１１が第１の認証コード記憶部２４及び端末制御部２３を備えていることが記載されている。
　よって、引用文献１には、「ＰＳ−ＩＤを記憶する第１の認証コード記憶部と、ヘルプ機能要求の入力があると、前記第１の認証コード記憶部から前記ＰＳ−ＩＤを読み出して無線基地局へ送出する端末制御部を備えた無線端末機」が記載されている。
　　
（い）上記Ａ．には、操作手順を文字などの画像情報として表示するオンラインヘルプ機能を有する情報機器に関するものであることが記載され、上記Ｂ．には、該情報機器の実施例として無線端末機が例示されるとともに、無線基地局から操作情報が無線端末機へ送出されることが記載されている。
　よって、引用文献１に記載された「無線端末機」は、無線基地局から受信した操作情報を表示する表示部を有していることは明らかである。
　
　よって、上記（あ）及び（い）から、引用文献１には、実質的に下記の発明（以下、「引用発明」という）が記載されている。
　　
「ＰＳ−ＩＤを記憶する第１の認証コード記憶部と、
　ヘルプ機能要求の入力があると、前記第１の認証コード記憶部から前記ＰＳ−ＩＤを読み出して無線基地局へ送出させる端末制御部と、
　前記無線基地局から受信した操作情報を表示する表示部と、
を備えた無線端末機。」
　　　　
　
（２）引用文献２について
　原査定の拒絶の理由に引用された特開昭６４−５３２１９号公報（以下、「引用文献２」という）には、下記の事項が記載されている。
　
Ｅ．「ここで通常の処理ルーチンが選択されると、ステップＳ１の第１の処理ルーチン、つづいてステップＳ８の第２の処理ルーチンという順序でプログラムが実行される。ステップＳ２の第１の処理ルーチン、ステップＳ８の第２の処理ルーチンおよびステップＳ９の第３の処理ルーチンには、それぞれの情報処理を実施するのに必要な操作用の両面（以後、操作画面と呼ぶ）が一画面ずつ用意されている。
　ここで各処理ルーチン内での動きを、第１の処理ルーチンを例にとって説明する。
　ステップＳ３では、第１の操作画面が、ディスプレイ上に出力され、オペレータが前記キーボード７より入力する情報に従って、情報処理が実行される。ステップＳ４では、該キーボード７からのヘルプキーによる割込み要求の有無を確認する。該割込み要求が無い場合はステップＳ５において第１の処理ルーチンを終了するかどうかの判定を行い、終了していない場合は、ステップＳ３にもどる。
　オペレータが、第１の処理ルーチンを実行するにあたって、操作上理解できない点、あるいは該操作画面の表示内容について理解できない点があった場合、キーボード上のヘルプキーを押す。該ヘルプキーが押されると、割込み要求信号１３（第２図）がパルス発生器１２よりＣＰＵ１０に対して出力される。
　割込み要求が発生すると、ステップＳ４でこれが判別され直ちにステップＳ６へ移る。ステップＳ６では、それまでディスプレイ１１上に表示されていた、該第１の操作画面に対応した、第１のヘルプ画面が該ディスプレイ１１上に表示される。」（公報第３頁左下欄第１３行〜第４頁左上欄第９行）
　　
Ｆ．「画面コードとは、第１の処理ルーチン、第２の処理ルーチン等の各処理ルーチンにおける操作画面と一対一に対応したコードである。また、上記のように、各操作画面には、少なくとも一画面以上のヘルプ画面が用意されている。したがって画面コードとは、該画面コードに対応した操作画面に用意されている、ヘルプ画面その１とも一対一に対応したコードであるといえる。このコードは、第１の操作画面なら“Ｈ００１”、第２の操作画面なら“Ｈ００２”といった具合に表現される。
　例えば、画面コードとして“Ｈ００１”をキーボード７より入力すると、ディスプレイ１１上には第１の操作画面に対応した第１のヘルプ画面その１が現われる。」（公報第４頁右下欄第１行〜第１４行）
　　
　ここで、上記引用文献２の記載事項について検討する。
　
（う）上記Ｅ．には、ヘルプキーの操作に伴い、表示している操作画面に対応するヘルプ画面が表示されることが記載されている。
　
（え）上記Ｆ．には、操作画面に対応するヘルプ画面を特定する画面コードを有することが記載されている。
　
　よって、上記（う）及び（え）から、引用文献２には、下記の事項（以下、「引用文献２記載事項」という）が記載されている。
　
「操作画面に対応するヘルプ画面を特定する画面コードを有し、
　ヘルプキーを操作すると、表示している操作画面に対応するヘルプ画面が表示されること。」
　　
　
　　　　　　　　　　  
４．対比 
（１）本願発明と引用発明との対応関係について
（ア）引用文献１の段落【００１０】には、無線端末機としてディジタル無線電話機等が例示されていることから、引用発明の「無線端末機」には携帯端末が含まれることは明らかである。また、ディジタル無線電話機のような無線端末機では、一般に複数の機能に対応した画面をメモリに記憶させておき、利用者の画面操作に応じて選択された機能に対応した画面をメモリから読み出して表示部に表示させる構成になっていることを踏まえれば、引用発明も「記憶されている所定の画面を選択操作に応じて表示部上に表示させる携帯端末」であるといえる。
　
（イ）引用発明の「ＰＳ−ＩＤ」は、無線端末機の機種を判定するために用いられるものであることが引用文献１の上記Ｂ．に記載されているので、本願発明の「携帯端末の機種情報」に相当しており、本願発明と引用発明は、「携帯端末の機種情報を記憶する記憶部」を備えている点で共通している。
　
（ウ）本願発明の「関連情報」については本願の請求項１には具体的な情報の内容は記載されていないものの、本願の請求項３には「関連情報」として「ヘルプ情報又は前記携帯端末の操作案内情報である」ことが記載され、引用発明の「操作情報」は無線端末機の操作情報であることから、引用発明の「操作情報」は、本願発明の「関連情報」に相当している。
　
（エ）引用発明では、ヘルプ機能要求に対して無線基地局から操作情報の受信が行われるので、引用発明の「ヘルプ機能要求」は操作情報を取得する要求とみることができる。
　
（オ）引用発明の「無線端末機」は、無線基地局とは無線ネットワークを介して接続されるものであるから、引用発明においてＰＳ−ＩＤを無線基地局へ送出すること、及び、操作情報を無線基地局から受信することは、それぞれ、ＰＳ−ＩＤを無線ネットワークへ送信すること、無線ネットワークから操作情報を受信することといい得るものである。
　
（カ）上記（イ）乃至（オ）から、本願発明と引用発明は、「前記関連情報の取得要求があった場合に、前記記憶部から前記機種情報を取得し、機種情報をネットワークに送信する指示を行う制御部」を備えている点で共通している。
　
（キ）引用発明では、無線基地局から受信した操作情報は表示部に表示されることから、引用発明が操作情報を表示部に表示させる何らかの手段を備えていることは明らかである。
　よって、本願発明と引用発明は、「前記ネットワークを介して受信した関連情報を前記表示部上に表示させる手段」を備えている点で共通している。
　
　　
（２）本願発明と引用発明の一致点について
　上記の対応関係から、本願発明と引用発明は、下記の点で一致する。
　
（一致点）　
「記憶されている所定の画面を選択操作に応じて表示部上に表示させる携帯端末であって、
　携帯端末の機種情報を記憶する記憶部と、
　関連情報の取得要求があった場合に、前記記憶部から前記機種情報とを取得し、機種情報をネットワークに送信する指示を行う制御部と
　前記ネットワークを介して受信した関連情報を前記表示部上に表示させる手段と、
を備えることを特徴とする携帯端末。」
　　
　　
（３）本願発明と引用発明の相違点について
　本願発明と引用発明とは、下記の点で相違する。
　
（相違点１）
　本願発明の「記憶部」は、「前記所定の画面を示すデータを記憶するとともに、前記所定の画面に対応する関連情報を特定するための特定情報と、前記携帯端末の機種情報とを、前記所定の画面を示すデータに関連付けて記憶する」ものであるのに対し、引用発明の記憶部はそのような構成とはなっていない点。
　　
（相違点２）
　本願発明の「制御部」は、「データが前記記憶部に記憶されている前記所定の画面に対応する前記関連情報の取得要求があった場合に、前記記憶部から前記特定情報と前記機種情報とを取得し、該当する特定情報と機種情報とをネットワークに送信する指示を行う」ものであるのに対し、引用発明の制御部はそのような構成とはなっていない点。
　　
（相違点３）
　本願発明は、「前記ネットワークを介して受信した関連情報を前記表示部上に表示させる」ことを「制御部」が行っているのに対し、引用発明の制御部がそのような制御を行っているかは定かではない点。
　
　
　　
５．当審の判断 
（１）相違点１及び相違点２について
　最初に、引用文献２に記載されたヘルプ画面の表示構成について検討し、次に、相違点１及び相違点２の容易想到性について検討する。
　
（１−１）引用文献２に記載されたヘルプ画面の表示構成について
　引用文献２（引用文献２記載事項参照）には、「ヘルプキー」を操作すると「表示している操作画面に対応するヘルプ画面」を表示することが記載されているので、そのためには、「ヘルプキー」の操作に伴い表示されている操作画面を特定し、次に該特定された操作画面に対応するヘルプ画面を特定する処理を行っていることは自明であり、引用文献２にはさらに、「操作画面に対応するヘルプ画面を特定する画面コード」を有することも記載されている。
　以上の事項を踏まえると、引用文献２には、ヘルプ画面を表示するための具体的な構成については記載されていないものの、ヘルプ画面を表示するために、操作画面を特定する情報を有するとともに、操作画面を特定する情報が該操作画面に対応したヘルプ画面の画面コードと対応付けられて記憶される構成が開示されていると認められる。
　　
（１−２）相違点１及び相違点２の容易想到性について　
　引用文献２（引用文献２記載事項参照）には、「ヘルプキーを操作すると、表示している操作画面に対応するヘルプ画面が表示されること」が記載され、該「ヘルプキーを操作」することは引用発明の「ヘルプ機能要求の入力」に対応し、該「ヘルプ画面」は引用発明の「操作情報」に対応していることから、引用発明と引用文献２記載事項とは、ヘルプ機能要求があると操作情報を表示するものである点で共通している。
　そして、表示されている画面において操作が不明になった場合に当該表示されている画面についての操作方法を表示することが、ヘルプ機能として一般に提供されていることを鑑みれば、引用文献２に記載された「ヘルプキーを操作すると、該表示している操作画面に対応するヘルプ画面が表示されること」が、引用発明においても有用であることは当業者に自明である。
　してみると、引用文献２に接した当業者であれば、引用発明において、操作中の無線端末機が表示している操作画面に対応したヘルプ画面を表示させるために、記憶部には無線端末機の機種の特定に利用されるＰＳ−ＩＤだけではなく、操作画面を特定する情報、該操作画面を特定する情報と操作画面に対応したヘルプ画面の画面コードとの対応付けを記憶させるとともに、操作画面の表示中にヘルプキーが操作された場合、制御部にはＰＳ−ＩＤだけではなく、表示している操作画面に対応した画面コードも記憶部から読み出して送出させる構成とすることに格別の困難性は認められない。
　よって、引用発明において、引用文献２記載事項を適用することで、引用発明の記憶部及び制御部を、相違点１及び２の構成とすることは、当業者が容易に想到し得たものである。
　
　
（２）相違点３について
　無線端末機では、無線端末機を構成する複数の構成部の制御を行う制御部を設け、該制御部により表示部に情報を表示させることが一般に行われている。
　また、引用文献１の図１には、無線端末機１１内の端末制御部２３が端末無線インターフェイス部２２だけでなく、第１の認証コード記憶部２４や入力部２５等と接続された構成が記載されていることから、引用発明の「端末制御部」も複数の構成部を制御するものであることは明らかである。
　してみると、引用文献１には端末制御部が表示部に操作情報を表示させることは記載されてはいないものの、引用発明の端末制御部が複数の構成部を制御するものであることを踏まえれば、引用発明においても端末制御部が表示部に操作情報を表示させるものであると解するのが自然である。また、たとえそうではないとしても、該端末制御部が表示部に操作情報を表示させるように構成すること、すなわち、引用発明に相違点３の構成を設けることは、当業者が適宜なし得たものである。
　　　
　
（３）本願発明の作用効果について　　　
　本願発明の作用効果も、引用発明、引用文献２記載事項から当業者が予測できる範囲のものである。　　　　
　　
　　　
６．むすび 
　以上のとおり、本願発明は、引用発明、引用文献２記載事項に基いて、当業者が容易に発明をすることができたものであるから、特許法第２９条第２項の規定により特許を受けることができない。 
　したがって、本願は、他の請求項について検討するまでもなく、拒絶されるべきものである。 
　よって、結論のとおり審決する。